(57)【要約】  本発明は、締付けバンド（１）を有するホース・クランプに関し、締付けバンド（１）の中には、対応する間隔で互いに続く複数のねじ山歯（２）が形成され、締付けバンド（１）によって、ホース・クランプの締付け装置の締付けねじ（３）を係合させることにより締付けバンド（１）に張力が与えられる。締付けねじ（３）は、ピッチ（ｐ）を有するねじ山（４）を有する。直径が小さい場合であっても、ねじ山のねじ山歯への確実な係合を確保するために、ねじ山歯（２）の間隔は、湾曲した状態の締付けバンド（１）のねじ山（４）のピッチ（ｐ）に適合する、適合されたピッチ（ｐ’）に対応する。【選択図】図４
2019510935.tif 000002
【特許請求の範囲】
【請求項１】
締付けバンド（１）を有し、該締付けバンド（１）の中に、対応する間隔で互いに続く複数のねじ山歯（２）が導入され、前記締付けバンド（１）の中に、前記ホース・クランプの締付け装置の締付けねじ（３）が移動して係合することで前記締付けバンド（１）に張力が与えられるホース・クランプであって、
前記締付けねじ（３）はピッチ（ｐ）を有するねじ山（４）を含み、
前記ねじ山歯（２）の前記間隔は、前記締付けバンド（１）が湾曲した状態における前記ねじ山（４）の前記ピッチ（ｐ）に適合された、適合されたピッチ（ｐ’）に対応する、ホース・クランプ。
【請求項２】
前記適合されたピッチ（ｐ’）は均等ではなく、特に、前記締付けバンド（１）が平坦な状態において前記ねじ山（４）の前記ピッチよりも小さいか、または大きい、請求項１に記載のホース・クランプ。
【請求項３】
前記適合されたピッチ（ｐ’）は、前記締付けバンド（１）が前記締付け装置の中に引き込まれる向きに、ねじ山歯（２）ごとに漸次拡大または縮小する、請求項１または２に記載のホース・クランプ。
【請求項４】
隣接するねじ山歯（２）の互いの前記間隔は、補正係数で変化する、請求項１から３のいずれか一項に記載のホース・クランプ。
【請求項５】
前記補正係数は、前記締付け装置の中への前記締付けバンド（１）の引き込み深さに依存して変化する、請求項４に記載のホース・クランプ。
【請求項６】
前記ねじ山歯（２）は、前記締付けバンド（１）が前記平坦な状態において、高さ（ｈ）を含み、
該高さ（ｈ）は０．５ｍｍ〜１０ｍｍの間の値を含む、請求項１から５のいずれか一項に記載のホース・クランプ。
【請求項７】
前記締付けバンド（１）は、高さ（ｈＮＦ）を有する中立素分（ＮＦ）を含み、
［０−０．５＊ｈ］＜ｈＮＦ＜ｈ、または、ｈ＜ｈＮＦ＜［ｈ＋０．５＊ｈ］
が適用可能である、請求項６に記載のホース・クランプ。
【請求項８】
前記ねじ山歯（２）は、成形加工により、特に型押し加工または深絞り加工により、前記締付けバンド（１）の中に導入され、
前記ねじ山歯（２）の前記間隔は、特に型押し工具または深絞り工具により前もって決定される、請求項１から７のいずれか一項に記載のホース・クランプ。
【発明の詳細な説明】
【技術分野】
【０００１】
本発明は締付けバンドを有するホース・クランプに関し、締付けバンドの中に、対応する間隔で互いに続く複数のねじ山歯が導入され、締付けバンドの中に、ホース・クランプの締付け装置の締付けねじが移動して係合することができ、それにより締付けバンドに張力が与えられ、締付けねじは規定されたピッチを有するねじ山を含む。
【背景技術】
【０００２】
例えば、特許文献１は、対応する間隔で互いに連続する複数のねじ山歯がその中に導入された締付けバンドを有するホース・クランプの一例を開示している。この場合、ねじ山歯は、自由な打抜きまたは型押しの形で締付けバンドの中に導入されている。個々のねじ山歯の互いの間隔は、それぞれ等しく、締付けねじのねじ山ピッチに適合されている。しかし、締付けバンドの曲率が増加するにつれて、ねじ山歯の間隔は変化する。最終的に、特に直径が小さい場合には、もはや、この間隔はねじ山ピッチに整合しない。
【０００３】
また、特許文献２は、締付けバンドから放射状に飛び出るねじ山歯を含む、締付けバンドを有するホース・クランプを示している。特に、締付けバンドが曲率を受けた場合、個々の放射状に突出するねじ山歯の頂側部の間隔が増加する。締付けバンドが締付け装置の中に入り込むと、締付けねじのねじ山は、回転するごとに締付けバンドの新しいねじ山歯と係合する必要がある。締付けバンドの曲率が強すぎると、締付けねじのねじ山ピッチは、もはや、ねじ山歯の間隔、および生成されたねじ山歯のピッチとは整合しない。その結果、締付けねじおよび／またはねじ山歯に損傷が生じる。このため、締付け装置によって締付けバンドの中に加えられる張力は制限される。その上、ホース・クランプは損傷を受ける場合があり、再使用が不可能になる。
【０００４】
従って、単に、平坦な状態の締付けねじのねじ山ピッチに対して、型押しされた締付けバンドのねじ山ピッチが対応する結果として、先行技術によるウォーム駆動クランプのねじ山の係合の協調が達成される。しかし、締付けバンドの曲げまたは丸みにより、個々のねじ山歯の互いの間隔が、直径に依存して変化する結果となる。曲げが大きく、その結果としてホース・クランプの直径が小さい場合には、ねじ山歯の間隔、およびその結果として生成されるピッチは、締付け装置内の締付けねじのピッチに整合せず、直径が小さい場合は、バンドねじ山はねじ山に整合せず、締付けねじの係合領域に入ると直ぐに損傷を受ける。その結果、締付けバンドの中に発生され得る張力は低減され、その結果としてホース・クランプの機能が損なわれる。
【先行技術文献】
【特許文献】
【０００５】
【特許文献１】独国特許第１９７１８７７６号明細書
【特許文献２】独国特許出願公開第１０２００９０５１１２８号明細書
【発明の概要】
【課題を解決するための手段】
【０００６】
本発明の目標は、先行技術の不都合を排除し、特に、改善された機械的特性を含み、大きく異なる直径にわたって、締付けバンドの中への高い張力の導入を可能にする、締付けバンドを有するホース・クランプを提供することである。特に、ホース・クランプの機械的特性が改善される。
【０００７】
本発明の目的は、特徴的なフィーチャと共に請求項１のプリアンブルによるホース・クランプにより達成される。本発明の、有利な更なる発展形態は従属請求項で提供される。
【０００８】
本発明は特に、ねじ山歯の間隔が適合されたピッチに対応し、このピッチは湾曲した状態の締付けバンドの締付けねじのねじ山ピッチに適合するという技術的教示を包含する。
【０００９】
ホース・クランプに関する本発明による更なる発展により、湾曲した締付けバンドの場合、ねじ山歯のピッチが締付けねじのねじ山ピッチに概ね整合することが達成される。その結果、換言すれば本発明は、平坦なバンド内にバンドねじ山の適合された成形形状を有するホース・クランプに関する。対応するクランプ直径になるように曲げた結果、局所的なバンドねじ山ピッチを生成することにより、締付けバンドが平坦な状態において、ねじ山成形が適合される。局所的なバンドねじ山ピッチはねじの係合部に位置しており、締付け装置の締付けねじのピッチに可能な限り最もよく整合される。
【００１０】
例えば、ピッチは、平坦な状態の締付けバンドの方が、締付けねじのねじ山ピッチよりも小さい、適合されたピッチを有するねじ山歯の間隔が実現される。締付けバンドに曲率が加えられた場合、外側に突出したねじ山歯の間隔は増加するので、ピッチも増加する。この場合にのみ、増加したピッチはねじ山に対応する。換言すれば、平坦に引き延ばした締付けバンドの場合のねじ山歯の間隔は、外側に向けられた歯を有する前述の例の場合のねじ山ピッチよりも小さいピッチを生成する。
【００１１】
内側に向けられ、型押しされた歯の場合、適合されたピッチのねじ山歯の間隔は、好ましくは、平坦な状態の締付けバンドのピッチの方が、締付けねじのねじ山ピッチよりも大きくなるように実現される。「内側に向けられた歯」という用語は、歯の先端が、締付けバンドの中立素分の内側に放射状に置かれた具現化として理解される。外側に向けられた歯の場合は、対応するように、歯の先端は締付けバンドの中立素分の外側に放射状に置かれる。曲率が加えられると、すなわちクランプに張力が与えられると、内側方向に型押しされた歯の場合には、内側に向いたねじ山歯の間隔は減少するので、ピッチは締付けねじのねじ山ピッチに適合される。
【００１２】
締付けバンドが締付け装置の中に引き込まれる向きにおいて、ねじ山歯の間隔は、ねじ山歯ごとに漸次増大または減少する適合されたピッチに対応するという点で、更なる利点がもたらされる。換言すれば、平坦に引き延ばした締付けバンドに比べると、締付け装置の中に入り込むバンドねじ山領域は、結果として、その後に入り込むまたは最後のバンドねじ山領域よりも大きなまたは小さなピッチ間隔を有する。外側に向けられたねじ山歯の場合は、漸次拡大するピッチ間隔が選択されるべきであり、一方で、内側方向に型押しされたねじ山歯の場合は、漸次縮小する間隔が提供されるべきである。締付けバンドの曲率が増加するにつれ、締付けバンドに沿って絶えず変化するねじ山歯の間隔を生み出す適合されたピッチによって、湾曲が続くにつれて広い調整領域にわたってねじ山歯の間隔は締付けねじのピッチに適合される。ホース・クランプが大きな直径を有し、締付け装置の中への挿入深さが小さな締付けバンドが接続されている場合、放射状に外側に突出したねじ山歯の間隔は、平坦に引き延ばした締付けバンドよりも更により大きい。そして、締付け装置の中への締付けバンドの引き込み深さが増加するにつれて、ねじ山歯の互いの間隔は、平坦に引き延ばした締付けバンドよりも減少する。ホース・クランプが張力を与えられたときに直径がより小さくなり、その結果として締付けバンドの曲率が強くなる結果、放射状に隆起したねじ山歯の間隔は、特に歯の先端の領域において更に増加し続け、それにより、調整領域全体にわたって、ねじ山ピッチの整合が達成される。換言すれば、締付けバンドの自由端から始まる放射状に隆起したねじ山歯の間隔は最初は大きいが、反対側に位置する端部の方向、およびそこに取り付けられた締付け装置の方向に経路が続くにつれて、より小さくなる。放射状に内側にプレス加工したねじ山歯または放射状に外側に向けられたねじ山歯の場合には、設計は精密に相補的である。
【００１３】
本発明は特に、この場合、隣接するねじ山歯の互いの間隔が、ピッチの変化を伴って変化する。この場合、ピッチの変化は、特に一定または比例的であり、第１の例示的実施形態による変化する間隔は、それぞれの場合で同じ量で変更される。
【００１４】
ねじ山歯は、締付けバンドが平坦な状態において高さｈを含み、高さｈは０．５ｍｍ〜１０ｍｍの間の値を含む。締付けバンドはまた、高さｈＮＦを有する中立素分ＮＦを含み、以下が適用可能である。
【００１５】
放射状に外側に向けられたねじ山歯の場合は、
［０−０．５＊ｈ］＜ｈＮＦ＜ｈであり、
放射状に内側に向けられたねじ山歯の場合は、
ｈ＜ｈＮＦ＜［ｈ＋０．５＊ｈ］である。
【００１６】
これにより、中立素分の位置は対応するように決定され、平坦な状態のバンドのピッチの補正係数ｅはクランプ直径Ｄとは独立して、
ｅ＝［Ｄ＋ｈ−ｈＮＦ］／［Ｄ＋ｈＮＦ］．
となる。
【００１７】
補正係数により得られる、平坦な状態における締付けバンドの適合されたピッチは、その結果、
ｐ’＝ｐ／ｅ、
となり、ここでｐは締付けねじのねじ山ピッチに対応する。
【００１８】
ねじ山歯は、打抜き加工または別の成形加工によって締付けバンドの中に導入することができ、ねじ山歯の間隔は打抜工具により前もって決定される。従って、打抜工具は例えば締付けバンドを圧延加工することにより機能することができ、刻み込み、または突き抜きの結果、個々のねじ山歯を生成することができる。この場合、工具は、ねじ山歯の互いの間の対応する間隔を前もって決定することができ、個々のねじ山歯への対応する型押し加工の場合は、締付けバンドは工具の下で対応する送り量で送られる。
【００１９】
本発明を改善する更なる手段が、本発明の好ましい例示的実施形態の記載と共に、図面を用いて以下に詳細に示される。
【図面の簡単な説明】
【００２０】
【図１】従来方式における、ねじ山歯を有するホース・クランプの締付けバンドを平坦に引き延ばした状態を示す。
【図２】ホース・クランプの締付け装置用の締付けねじの側面図を示す。
【図３】湾曲した状態の締付けバンドを示す。
【図４】ねじ山歯を有する締付けバンドを示し、締付けバンドは平坦な状態で示され、ねじ山歯は互いに本発明による間隔を空けて、図２による締付けねじのピッチから外れたピッチになっている。
【発明を実施するための形態】
【００２１】
図１は先行技術による、平坦に引き延ばした状態のホース・クランプの締付けバンド１を示す。例えば、平坦な締付けバンド１から打抜き、刻み込み等で形成することができる、複数のねじ山歯２が締付けバンド１の上側に実現されている。個々のねじ山歯２は互いに、ピッチｐに対応する間隔を空けている。個々のねじ山歯２はそれぞれ、締付けバンド１に沿ってねじ山歯ごとにピッチｐが変化しないように、互いに等しい間隔を空けている。
【００２２】
ねじ山歯２は高さｈを含む。この場合、高さに関する更なる仕様が特徴である。
【００２３】
図２はホース・クランプの締付け装置で使用されるような締付けねじ３を示す。締付けねじ３はねじ山４を含む。この場合、ねじ山４は一定のピッチｐを有する。
【００２４】
図３は、図１（先行技術）による、半径Ｒで湾曲した配置にある締付けバンド１を示す。この場合、外側に向けられたねじ山歯２が締付けバンド１上で突出しており、締付けバンドが曲げられるとピッチ変化Δｐだけピッチが変化する。張力を加えたときに、締付けバンド１に導入される曲率の増加によって、ねじ山歯の間隔、およびその結果として、実際のピッチが増加する。更に張力が加えられ、締付けバンド１が締付け装置の中に更に入ると、ピッチ変化Δｐが発生するために、不変ピッチｐでは、締付けねじ３はねじ山歯２と幾何学的に精密に係合することがもはやできなくなる。
【００２５】
図４は、本発明に従って更に開発された、ホース・クランプの締付けバンド１を示す。一例として、締付けバンド１の上側に４つのねじ山歯２が示される。
【００２６】
中央の２つのねじ山歯２はピッチｐで互いに離隔されており、左側に示したねじ山歯２と２番目の隣接するねじ山歯２との間隔は、ピッチ変化Δｐの量だけ増加され、適合されたピッチｐ’が生成される。このような設計は、放射状に内側に向けられたねじ山歯の場合に提供され、ねじ山歯の先端は湾曲した締付けバンドの中立素分の内側に放射状に置かれている。
【００２７】
３番目のねじ山歯２は、最後の４番目のねじ山歯２に対して、より小さい間隔、またはより小さいピッチを含み、この間隔は締付けねじ３のピッチｐからピッチ変化Δｐを引くことで決定される。このような設計は、放射状に隆起したねじ山歯の場合に使用され、ねじ山歯の先端は湾曲した締付けバンドの中立素分の外側に放射状に置かれている。締付けバンド１の曲率が強く、半径Ｒが小さいほど、ねじ山歯２の頂部領域の延びが互いに及ぼす影響は強くなる。
【００２８】
本発明の実現においては、上で提供された好ましい例示的実施形態に制限されない。むしろ、根本的に異なる実現形態においてさえ、示された解決策を使用する複数の変形形態が考えられる。請求項、記述または図面から生じる、構造的な詳細または空間的配置を含む、全てのフィーチャおよび／または利点はそれ自体でおよび様々な組合せにおいても、本発明に本質的であり得る。
【符号の説明】
【００２９】
１  締付けバンド
２  ねじ山歯
３  ねじ
４  ねじ山
ｐ  ピッチ
ｐ’  適合されたピッチ
Δｐ  ピッチ変化
ｅ  補正係数
Ｄ  クランプ直径
Ｒ  半径
ＮＦ  中立素分
ｈ  ねじ山歯の高さ
ｈＮＦ  中立素分の高さ
【図１】
2019510935.tif 000003
【図２】
2019510935.tif 000004
【図３】
2019510935.tif 000005
【図４】
2019510935.tif 000006
【国際調査報告】
2019510935.tif 000007
2019510935.tif 000008
2019510935.tif 000009
2019510935.tif 000010
2019510935.tif 000011
2019510935.tif 000012